(57)【特許請求の範囲】
【請求項１】
自動分析装置にして、
該自動分析装置が少なくとも二つの分析系列を備え、
これら分析系列の各々が、固定された化学調合セルと、この化学調合セル内に収容された液体を攪拌する手段と、試薬を前記化学調合セル中に注入する手段と、分析手段を備えた分析セルと、前記化学調合セル内に収容された液体を前記分析セルの中に移送し、その後に液体を該分析セルから廃棄物排出システムに移送するラインと、前記化学調合セルを前記廃棄物排出システムと直接に連絡する排出ラインとを含み、
自動分析装置がさらに、分析しようとする液体試料を前記化学調合セルのうちの少なくとも一つの中に導入するための分配手段と、
少なくとも前記攪拌手段、注入手段、分析手段、移送ラインおよび排出ラインを制御する制御手段とを備え、
前記化学調合セルが密封された囲い内に配置され、前記試薬注入手段が該囲いの外側に配置された少なくとも一つの注入装置と、該注入装置を前記化学調合セルに接続する少なくとも一つのカテーテルとを備え、前記カテーテルが前記囲いの頂部フランジを貫通して延び、該フランジの下方の垂直ガイドチューブ内に配置されていることを特徴とする自動分析装置。
【請求項２】
請求項１に記載の自動分析装置にして、各々の移送ラインが前記化学調合セルを前記分析セルに接続する第１管と、該分析セルを、前記分析系列のすべてに共通な第１空気エゼクタであって前記廃棄物排出システムに接続された第１空気エゼクタへ接続する第２管と、前記空気エゼクタの上流側の第２管内に配置された弁とを備えている自動分析装置。
【請求項３】
請求項２に記載の装置にして、前記空気エゼクタがプログラムされた遅延時間後に一定の圧力で作動する動力空気供給源を備えている自動分析装置。
【請求項４】
請求項１に記載の装置にして、前記排出ラインが、前記分析系列のすべてに共通な第２空気エゼクタであって前記廃棄物排出システムに接続された第２空気エゼクタへ前記化学調合セルを接続する第３管と、前記第２エゼクタの上流側の第３管内に配置された弁とを備えている自動分析装置。
【請求項５】
請求項２に記載の装置にして、各々の弁が前記囲いの外側に配置された制御電動弁により作動する空気制御弁である自動制御装置。
【請求項６】
請求項２に記載の装置にして、各々の弁が保護用樹脂内に埋封された電動弁である自動分析装置。
【請求項７】
請求項１に記載の装置にして、各々の分析系列が洗浄液を前記化学調合セルに供給する管と、該セルを乾燥させるための空気を供給する管とを備えている自動分析装置。
【請求項８】
請求項１に記載の装置にして、前記分析系列の化学調合セルが上側の作動位置と下側の保守位置との間で垂直方向に移動可能な引っ込み自在第１板に取り付けられている自動分析装置。
【請求項９】
請求項１に記載の装置にして、各々の化学調合セルが個々の支持部材に装架され、前記支持部材は前記セルと組み合わされた垂直のガイドチューブに関節連結された固定つばにより取り付けられている自動分析装置。
【請求項１０】
請求項１に記載の装置にして、前記分配手段が位置決め手段に取り付けられた垂直の吸引取付け具を備え、該吸引取付け具の作動によって、分析しようとする液体を収容した容器の上方または任意の化学調合セルの上方へ無作為に位置決め可能である自動分析装置。
【請求項１１】
請求項１に記載の装置にして、各々の分析系列が、前記化学調合セル内に配置されかつ垂直のケーブルにより前記囲いの外側に配置された装置と接続された測定手段または検査手段をも備えている自動分析装置。
【発明の詳細な説明】
【０００１】
【産業上の利用分野】
本発明は、同じ液体試料にいくつかの分析を自動的に行うように設計された分析装置に関する。
【０００２】
本発明は、限定するものではないが、生成物、例えば放射性生成物の生産ラインまたは処理ラインの異なる箇所で採取された液体試料にいくつかの化学分析を行うのに有利に適合する。
【０００３】
【従来の技術】
放射性物質への適用の範ちゆうで、本発明による分析装置は、フランス特許公開第２，６７５，５８２号明細書に記載されているような自動装置に特に使用することができる。この装置においては、液体製品が生産ないし処理ラインの異なる箇所で自動的に試料採取され、密封したジャグ（液体容器）の中に導入される。その後、ジャグは空気移送回路によって分析容器の中へ自動的に移送される。
【０００４】
フランス特許公開第２，６７５，５８２号明細書に記載の装置は試料の自動的な採取および試料の分析容器の中への移送を行うことができるが、分析容器内でその後に行われる作業はグリッパー、すなわち、掴み装置の助けにより手動で行われる。従って、分析容器の底にばらで落下したジャグは、コードを読み取ることにより識別されねばならず、掴み装置の助けにより開かれなければならない。その後、開かれたジャグ内の製品の試料採取作業が実験ピペットを用いて行われる。最後に、所望の分析を行うために必要なすべての作業（試薬の添加、移送等）が、掴み装置の助けにより、また慣用の実験器具、例えば、シリンジ、ガラス器具を使用して、手動で行われる。
【０００５】
これらが産業用の生産ないし処理ラインの監視に適用される場合、それらの作業は不適当であり、無視できない誤差が発生するおそれがある。そのうえ、詳細に言うと一つの試料に一つの分析しか行うことができないという事実のために、これらの作業は単調であり、高いコストを要し、固体廃棄物および液体廃棄物の量が増大する。
【０００６】
そのうえ、上述の分析容器内で行われる化学分析の自動化は、幾つかの要因の故に、実施不可能である。これらの要因のうちの第１のものは、既存の分析容器を完全に取り替える必要なくこれら容器に自動分析装置を段々に設けることを可能にしたいという要望である。
【０００７】
そのうえ、放射性物質を分析する問題の場合、分析装置の設計には、そのような製品により課される制約を考慮しなければならない。従って、使用される技術は信頼性が高くなければならず、容器に設けられた操作用掴み装置の助けにより保守を行うことが可能でなければならない。加えて、照射および汚染の両方を考慮に入れて核放射線の保護が保証されなければならない。汚染を考慮すると、時間経過に伴う分析容器の外部への汚染度の進行を阻止するように、移動の範囲が制限されなければならない。
【０００８】
同じ試料に単一の分析のみを行うことが必要である場合もあり得るけれども、固体廃棄物および液体廃棄物の量を減らすために、同じジャグに収容された単一の試料にいくつかの分析を同時に実施可能であることが望ましい。システムを過度に複雑化しないためには、分析装置を、分析容器内で該分析装置の上流側に配置されるであろう自動システムから完全に独立させることが、特にジャグを用いて試料を採取するために必要である。本発明の部分を構成しないこれらの上流側のシステムは特にプロセス制御装置により制御することができ、これに対して、本発明による分析装置を作動させるためには、アナログ値、クロック速度、遅延、ボリューム、ポテンシャル等の考慮を要し、そのためにはマイクロプロセッサを使用することが必要である。
【０００９】
【発明の課題】
さらに特定すると、本発明は、分析を完全に自動化して固体廃棄物および液体廃棄物を最小限度に減らすと共に生産性をかなり改善することができるように、限定するものではないが例えば、フランス特許公開第２，６９５，５８２号明細書に記載のもののような自動装置、すなわちジャグを開いて液体試料を採取することを可能にする装置と組み合わされて、特に使用することができる自動分析装置に関する。
【００１０】
【課題を達成するための手段】
本発明によれば、この結果は下記を特徴とする自動分析装置によって達成される。
この自動分析装置は少なくとも二つの分析系列を備え、各分析系列が、固定された化学調合セルと、化学調合セル内に収容された液体を攪拌する手段と、化学調合セルの中に試薬を注入する手段と、分析手段を備えた分析セルと、化学調合セル内に収容された液体を分析セルの中に移送し、その後に液体を分析セルから廃棄物排出システムに移送するラインと、化学調合セルを廃棄物排出システムと直接に連絡する排出ラインとを含む。自動分析装置はさらに、分析しようとする液体試料を化学調合セルのうちの少なくとも一つのセルの中に導入するための分配手段と、少なくとも攪拌手段、注入手段、分析手段、移送ラインおよび排出ラインを制御する制御手段とを備えている。化学調合セルは、密封された囲い内に配置される。試薬注入手段は、囲いの外側に配置された少なくとも一つの注入装置と、注入装置を化学調合セルに接続するカテーテルとを備える。このカテーテルは囲いの天井フランジ、すなわち、頂部フランジを貫通して延び、フランジの下方の垂直ガイドチューブ内に配置される。
【００１１】
このような装置を使用することにより、同じ液体試料にいくつかの分析を同時に自動的に行うことが可能になる。分析の自動化に加えて、分析が同時に行われる性質のために、総分析時間が最長の分析に要する時間内におさまるので、かなりの時間節減が得られる。
【００１２】
そのうえ、分析の自動化によって、使用される試料の量ならびに試薬の量を最小限度に制限することにより、液体廃棄物を最小限度に減らすことが可能になる。分析しようとする液体製品が最初にジャグ内に収容されるときにジャグから採取された試料をいくつかの分析を行うために使用することができ、それによりジャグの数が少なくなる事実のために、固体廃棄物の量もまた減少する。
【００１４】
本発明のこの好ましい実施例においては、各々の移送ラインは化学調合セルを分析セルへ接続する第１管と、分析系列のすべてに共通であり廃棄物排出システムに接続された第１空気エゼクタへ分析セルを接続する第２管と、空気エゼクタの上流側の第２管内に配置された弁とを備えている。
【００１５】
分析セルの中に導入される液体の量が完全に制御されるためには、空気エゼクタがプログラムされた遅延時間後に一定の圧力で作動する動力空気供給源を有していると有利である。
【００１６】
本発明の好ましい実施例では、排出ラインは、分析系列のすべてに共通であり廃棄物排出システムに接続された第２空気エゼクタへ化学調合セルを接続する第３管と、第２空気エゼクタの上流側の第３管内に配置された第２弁とを備えている。
【００１７】
第２管および第３管に配置された弁の各々は電動弁により構成されるか、または囲いの外側に配置された制御電動弁によって作動する空気制御弁により構成される。
【００１８】
各々の分析系列は、該分析系列の化学調合セルの洗浄および乾燥を可能にするために、洗浄剤を化学調合セルの中に供給する管と、セルに乾燥用空気を供給する乾燥管とを有していることが好ましい。
【００１９】
すべての分析系列の化学調合セルは、保守作業を容易にするために、上側の作動位置と下側の保守位置との間で垂直に移動可能な引っ込み可能な板上に取り付けることができる。
【００２０】
一つの変更例として、各々の化学調合セルを個々の支持部材上に配置することができる。支持部材は、操作用掴み装置の助けにより、また、関節連結された固定用カラーないしつばに作用することによって、当該セルと組み合わされた垂直ガイドチューブに取り付けることができる。
【００２１】
化学調合セルに供給するために使用される分配手段は位置決め手段に取り付けられた垂直の吸引取付け具を有することができ、この吸引取付け具の作動によって、分析しようとする液体を収容した容器、例えば、ジャグの上方に、或いは化学調合セルのうちの任意の一つの上方へ任意に位置決め可能である。
【００２２】
また、実施しようとする分析の性質に応じて、分析系列の各々は一つないしそれ以上の測定装置または制御装置をも備えることができ、これら装置は化学調合セル内に配置され、囲いの頂部フランジを貫いて延びる垂直ケーブルにより、囲いの外側に配置された器機に接続される。
【００２３】
【実施例】
本発明を、添付図面を参照して、二つの好ましい非限定的な実施例について、以下にさらに詳細に説明する。
本発明による自動分析装置は、以下の説明からさらに容易に明らかになるように、同じ液体試料にいくつかの分析を同時に自動的に行うことができる少なくとも二つの分析ラインないし系列を有している。これらの分析系列のすべては同じ原理により製造されており、これを図１について説明する。
【００２４】
本発明による自動分析装置の分析系列の各々はまず、固定された化学調合セル１０を有している。図１から図５に例示した実施例では、すべての分析系列のセル１０が以下に記載する配置に従って同じ水平支持板１２上に取り付けられている。
【００２５】
各化学調合セル１０内には、攪拌器１４が配置されている。この攪拌器は、セル１０の底部の下方に配置された、例えば、磁気モータまたは超音波モータ１６により作動される。モータ１６は水平支持板１２に取り付けられている。
【００２６】
以下にさらに詳細に説明する分配手段１８は、一つないしそれ以上の化学調合セル１０の中に分析しようとする試料を導入することができる。分析手段１８が分析装置の分析系列のすべてに共通であり、例えば、プロセス制御装置によって分析系列から独立して制御されることに留意すべきである。
【００２７】
分析しようとする液体試料が放射性である場合に関する図面に例示した実施例においては、化学調合セル１０ならびにセルの支持板１２および分配手段１８は密封された囲い２０内に配置されている。囲い２０の天井フランジおよび底部は、図１に符号２０ａおよび２０ｂでそれぞれ示してある。
【００２８】
本発明による自動分析装置の分析系列の各々はまた注入手段を有し、この注入手段は、構想した分析のために必要な一種類ないしそれ以上の試薬と、セルの中に導入される製品を稀釈するために随意に必要な水とを化学調合セル１０の中に導入することができる。これらの試薬注入手段は、囲い２０の外側、例えば、頂部フランジ２０ａの上方に配置されたインゼクタ２２を備えている。これらのインゼクタ２２の各々は、所定量の試薬を当該化学調合セル１０の中へ、ポリテトラフルオロエチレン製の微小管により形成されたカテーテル２４を用いて、導入することができる。このカテーテル２４は該化学調合セル１０の頂部フランジ２０ａを垂直方向に貫通し、そしてガイドチューブ２６の内部をセル１０の中へ垂直方向に下降している。さらに詳細に説明すると、同じ化学調合セル１０と組み合わされたカテーテル２４のすべては、同じガイドチューブ２６内に配置されている。ガイドチューブ２６は、特にステンレス鋼で製造することができる。一つないし複数のカテーテル２４を横断するプラグ２８および２９が、ガイドチューブ２６をその上端部および下端部においてそれぞれ密封している。
【００２９】
ある分析系列の化学調合セル１０内には、もしも必要であれば、測定ないし制御装置、例えば、伝導性測定プローブまたは温度プローブを配置することができる。このような装置３０は、図１においてガイドチューブ２６をその下端部においてシールするプラグ２９の下方に概略に示してある。図４および図５を参照して、異なる装置を採用し得ることを以下に説明する。装置３０の性質に応じて、光学ないし電気接続ケーブルまたは同様な接続ケーブル３２が、囲い２０の外側に配置された供給および測定システム３４へ装置３０を接続している。
【００３０】
本発明による自動分析装置の分析系列の各々はまた分析セル３６を有し、この分析セルは当該セルに備えた分析装置３７の助けにより当の試料の分析を行うために、セル１０内で調合された明確に規定された量の化学調合品を受け入れるためのものである。分析装置３７は特に分光光度計またはクロマトグラフ（色層分析装置）とすることができる。個々の場合に応じて、分析セル３６は囲い２０の内側または外側に取り付けられる。図１に示した実施例は、囲い２０の内部に分析セル３６を取付けている。
【００３１】
移送ラインが化学調合セル１０の各々を対応した分析セル３６と接続し、また、当該分析セル３６を、図１において囲い２０の底部２０ｂ内のサイホン３８により示した廃棄物排出システムへ接続している。
【００３２】
さらに詳細に述べると、移送ラインは化学調合セル１０内にその底部付近まで浸漬された硬質の管３９と、硬質管３９を分析セル３６に接続する第１可撓性管４０とを有している。移送ラインはまた、分析セル３６を空気エゼクタ４４の入口へ接続する第２可撓性管４２を有している。空気エゼクタ４４の出口は硬質の管４６によってサイホン３８に接続されている。
【００３３】
図面に例示した自動分析装置は、すべての分析系列に共通の単一の空気エゼクタ４４を有している。従って、空気エゼクタ４４の入口は分析セル３６の各々へ、弁４８が組み込まれた管４２により接続されている。
【００３４】
図１に示した実施例においては、弁４８は囲い２０の外側に配置された図示していない制御電動弁により制御される空気制御弁である。これらの制御電動弁は、弁４８の各々を圧縮空気源へ接続する制御用管上に配置されている。
【００３５】
図示していない変更例では、弁４８は低電圧電動弁であることが好ましい。これらの電動弁は、囲い２０内に含まれたおそらくは腐食性の雰囲気から完全に絶縁されるように、特に保護用樹脂内に埋封することができる。図１の実施例と比較して、この変更例は市販の弁を使用可能にし、また、弁の数を２分することによりシステムを簡単にすることが可能である。そのうえ、雰囲気が腐食性であるときには、樹脂により得られる防食性が完全である。しかし、これは、空気排出オリフィスを必然に有する空気制御弁の場合にはあてはまらない。
【００３６】
空気エゼクタ４４は、制御された時限作動流量制御システム５６を介して図示していない管により導入される圧縮空気によって、制御される。
【００３７】
図１に示した自動分析装置の分析系列の各々はまた排出ラインを有し、この排出ラインは、分析が完了したときに化学調合セル１０内の製品をサイホン３８で代表する廃棄物排出システムへ直接に排出できるようにする。
【００３８】
図１に示す実施例では、排出ラインは化学調合セル１０の底部まで浸漬された硬質の管５９と、硬質の管５９を第２空気エゼクタ６２に接続する可撓性の管６０とを有している。化学調合セル１０は、該セルから液体を完全に排出可能にするために、図示していない僅かに傾斜した底部を備えると有利である。この底部の最下点は回収シュートないし流路１１を形成し、硬質の管５９の下端部が流路１１の底部に浸漬されている。空気エゼクタ６２の出口は硬質の管６４によってサイホン３８へ接続されている。
【００３９】
空気エゼクタ６２は、空気エゼクタ４４と同様に、分析系列のすべてに共通な単一のエゼクタである。従って、可撓性の管６０の各々は弁６６を介して空気エゼクタ６２に接続されている。弁６６は、弁４８と同様に、電動弁とするか、或いは弁６６の各々を圧縮空気源へ接続している管に配置された図示していない電動弁によって制御される空気制御弁とすることができる。空気エゼクタ６２は、図示していない管によって導入された圧縮空気で制御される。
【００４０】
上述の排出ラインは、化学調合セル１０から液体を排出し、すなわち、空にすることに加えて、化学調合セル１０の各々の上方に設けられた洗浄ダクト７０と共に、セルの洗浄を行う。洗浄ダクト７０は、洗浄水とその他の洗浄剤、例えば、空気が乾燥ダクト７２によりセル１０内へ注入されると迅速に乾燥可能なアルコールとの両方をセル１０の中へ導入するために使用することができる。
【００４１】
最後に、化学調合セル１０が、管７６によってサイホン３８へ直接に接続された溢流システム７４を有利に備えていることに留意すべきである。
【００４２】
分配手段１８を除いて本発明による分析装置のすべての機能を制御するための制御手段、例えば、マイクロプロセッサ５０が、図１に極めて概略に示したように、囲い２０の外側に設けられている。従って、マイクロプロセッサ５０は攪拌器１４のモータ１６、試薬および水注入装置、すなわち、インゼクタ２２，２４、ダクト７０，７２と組み合わされた洗浄システムおよび乾燥システム、化学調合セル１０の移送ラインおよび排出ラインならびに分析装置３７を制御する。
【００４３】
さて、図１について前述した第１実施例による４つの分析ラインを備えた自動分析装置の一実施例を、図２から図５を参照して説明する。
【００４４】
先ず、図２を参照すると、本発明のこの実施例では、水平支持板１２が４つの化学調合セル１０を担持していることが理解できよう。これらのセル１０は、円形の断面形状であり、またこれら円形の中心が垂直軸線７８上に中心を有する円弧上に相互に等距離にある点で、全く同じである。垂直軸線７８は、図１の分配手段１８に属する自由選択により入れ子式に作動する水平アーム８０の回転軸線として作用する。
【００４５】
水平アーム８０は、軸線７８とは反対側の端部に吸引取付け具８２（図１）を有している。吸引取付け具８２は、アーム８０が軸線７８のまわりを回転する間に、化学調合セル１０のうちの任意の一つの上方に、また分析しようとする液体を収容したジャグ８４の上方に置くことができる。
【００４６】
ジャグ８４が図２に示したように化学調合セル１０と同じ円の軸線上にない場合には、アーム８０が入れ子式に移動する。そのうえ、アームは上下動を行い、上側位置ではセル１０およびジャグ８４の上方でアームの変位を可能にし、下側位置では吸引取付け具８２によるジャグ内の収容液体の吸引を可能にする。アーム８０の上述の移動を制御する種々のモータが、囲い２０の外側に、また特に頂部フランジ２０ａの上方に有利に配置されている。これらのモータは、本発明による自動分析装置を構成する装置から独立した図示していないプロセス制御装置によって制御される。
【００４７】
化学調合セル１０を担持している水平支持板１２は、自動分析装置が作動している時には、囲い２０内の所定位置にある。支持板１２を囲い２０の内部に固定するための構造体が、支持板１２の取り外しと、装置３０と同様にカテーテル２４が対応した化学調合セル１０内に浸漬される上側作動位置と、管および装置類の保守を行うことが可能である下側保守位置との間における支持板の移動とを可能にするように、設けられている。
【００４８】
さて、支持板１２の取り外しならびに該支持板の下側保守位置への下降を可能にする支持構造体の一実施例を、図２および図３について説明する。
【００４９】
囲い２０内における水平支持板１２の取り付けは、該囲いの後側壁部２０ｃの付近に配置された２つの垂直柱８６によって保証されている。支持板１２は、後壁部２０ｃに向いた後端縁に、垂直柱８６に取り付けるための２つの長方形切欠き部８８を有している。柱８６の各々の後面は、通常、水平方向に軸線を有するローラ９０に圧接しており、このローラは、水平ピン９４により水平支持板１２に関節連結されたレバー９４によって担持されている。さらに詳細に述べると、水平ピン９４は、支持板１２に固定された部分９５に取り付けられている。レバー９２は、通常、図２と図３に連続線の形態で示した位置に止めスタッド９６により固定され、この位置では、ローラ９０が対応した垂直柱８６の後面に接触する。
【００５０】
上に述べた機構は、通常、止めピンないしスタッド９６が引っ込められていないときに、支持板１２と垂直柱８６の間の滑り連結を保証する。
【００５１】
支持板１２の取り外しを要する場合、操作者はグリッパーの助けにより止めスタッド９６を引っ込め、それによりレバー９２が自由になり、それらレバーのピンないしスピンドル９４のまわりの回転が可能になる。その後、レバー９２は図３に混合線で示した位置を自動的に占め、この位置では、ローラ９０が柱８６の後面に関して横方向に外側へ離れている。その後、支持板１２を柱８６から離すことができる。
【００５２】
通常は支持板１２を垂直柱８６に沿ってその上側作動位置に固定するために、柱８６の各々はその前面に水平突起９８を有している。水平突起９８には、レバー９２のピボットピン９４によって構成されることが有利である水平軸線を中心として部分９５上に関節連結されたフック１００を置くことができる。
【００５３】
支持板１２の下降を必要とする保守のための介入をしなければならないときには、操作者はグリッパーの助けにより支持板を僅かに持ち上げ、次いで、図３に混合線で示した引込み位置まで、支持板をフック１００の外側に向けて僅かに傾ける。すると、支持板１２を下側保守位置に下降させることができ、それによりカテーテル２４、装置３０およびダクト７０，７２が配置された領域全体が解放される。
【００５４】
試薬、稀釈水、洗浄液および乾燥用空気を化学調合セル１０の各々の中に搬入するために該化学調合セルと組み合わされた組立体の正確な形状は、対応した分析系列の分析セル３６内で後程行われる分析の性質によって左右される。これらの組立体により随意に支持された装置３０の数および性質もまた、分析の性質によって定まる。
【００５５】
組立体の各々は、図４および図５に示すように、両端を閉ざされた垂直な管状の囲い１０２を有し、この囲いは頂部フランジ２０ａを横切ると共に該頂部フランジにしっかりと固定されている。管状の囲い１０２は１つから３つの副組立体、例えば、試薬供給組立体１０４、伝導性測定プローブ１０８を担持する副組立体１０６や、或いは図示していない温度プローブを担持する副組立体１１０を収容している。
【００５６】
これらの副組立体１０４，１０６および１１０の各々には外側包囲管１１２が組み込まれ、この包囲管内に、両端部をプラグ２８および２９により密封された図１のガイドチューブ２６が緊密に収容されている。これらのプラグ２８および２９は垂直の棒１１６により連結され、対応した副組立体の機械的強度を保証している。
【００５７】
試薬供給副組立体１０４の場合には、１つないしそれ以上の毛細管２４が、試薬インゼクタ２２（図１）を対応した化学調合セル１０へ接続するために、プラグ２８および２９を貫いて垂直にガイドチューブ２６の中へ延びている。１つないしそれ以上の一層大きい直径の管１１８を、例えば当該化学調合セル１０中への稀釈水の供給を保証するために、ガイドチューブ２６の中へ垂直に通すことができる。
【００５８】
伝導性測定プローブ１０８および温度プローブ（図示せず）をそれぞれ担持する副組立体１０６および１１０は、３本の垂直導線で形成された垂直同軸ケーブル１０７およびケーブル１１１をそれぞれ有している。これらのケーブルは、対応したプローブを囲いの頂部フランジ２０ａを通して外部の器機へ接続している。
【００５９】
対応した副組立体の取替えを可能にすると共に、種々の副組立体が所定位置にはあるときには依然として閉じ込めを確実にするために、外側包囲管１１２が対応した組立体の外側囲い１０２に固定され、ガイドチューブ２６が外側包囲管１１２へ中に上方に滑動可能であることが好ましい。
【００６０】
図１から図５に示した自動分析装置の制御は、マイクロプロセッサ５０の助けにより自動的に行われる。マイクロプロセッサ５０は予め確立されたプログラムによって、攪拌器１４のモータ１６、試薬インゼクタ２２、洗浄および乾燥手段、空気エゼクタ４４，６２、分析セル３６と組み合わされた分析装置３７等の作動を制御する。この制御は、上流側のシステム、特に分配手段１８を制御するプロセス制御装置に干渉することなく、いくつかの分析を同時に制御することを十分に保証する。
【００６１】
さて、図６および図７について簡単に説明する本発明の第２実施例においては、化学調合セル１０の各々はその他のセル１０から独立して個々の支持部材１２０に取り付けられている。支持部材１２０は対応した分析系列の垂直な管状の囲い１０２の下側部分上に配置することができる。この配置は、単一のグリッパーの助けにより、各々のセル１０を所定位置に置いて維持することを可能にすると共に、種々の分析系列間の完全な独立を保証している。
【００６２】
さらに詳細に述べると、個々の支持部材１２０は、例えば、円弧形状の水平部分を有する垂直柱の形態である。垂直柱はその上端部において固定つば１２２と結合されている。固定つば１２２は垂直な管状の囲い１０２の下側部分に取り付けることができる。
【００６３】
つば１２２は、迅速に操作可能な好ましくはばねに基づく開閉構造を有する関節連結されたつばである。つば１２２は、図７に概略示すように、該つばを囲い１０２に対して単一の操作用掴み装置の助けにより取り付け、取り外し可能にする二重の掴み装置１２４を備えている。つば１２２は、解放されたときに、管状の囲い１０２（図６）の小さい直径の領域１０２ａを貫通する。囲い１０２の垂直軸線に対する支持部材１２０の角度決めは特に突起部１２６によって保証され、この突起は囲い１０２の小直径領域１０２ａから半径方向外方に突き出し、つば１２２に形成された切欠き部を貫くことができる。
【００６４】
支持部材１２０は、その下端部に、分析セル１０が載る第１水平板１２８と、該水平板の下方に配置されて攪拌器１６が載る第２水平板１３０とを担持している。第２水平板１３０の真下に、掴み部材１３２が取り付けられている。支持部材１２０は、移送ラインの硬質の管３９を取り付けるために使用されるガイド１３４を備えることもできる。排出管の硬質の管５９がセル１０の中に組み込まれている。
【００６５】
前述の非限定的な実施例の説明は、本発明による自動分析装置がいくつかの分析を同時に行うことを可能にすると共に、総分析時間を最長の分析時間に限定することを示す。それゆえに、生産性が向上すると同時に、固体廃棄物および液体廃棄物の量がかなり減少する。
【００６６】
そのうえ、上記の実施例は、既存の囲いに大きい変更を加える必要なく、本発明による装置を既存の囲いの中に容易に統合可能にする。
【００６７】
分配手段を上述のものと完全に異なるシステムで構成することができ、例えば、ウォームまたはエンドレスねじ装置、或いはロボットないし任意の別のそのようなシステムを用いて、化学調合セル１０の上方で直線並進移動を行うアームを組み込むことにより構成することができることに留意すべきである。この場合には、セル１０は円弧状に配置される代りに一列に整列される。
【図面の簡単な説明】
【図１】本発明の第１実施例による自動分析装置の分析系列のうちの一つを示す部分断面側図。
【図２】図１の自動分析装置の実施例をさらに詳細に例示する平面図。
【図３】図２の矢印Ｆに沿った側面図。
【図４】図２および図３の自動分析装置の分析系列のうちの一つを備えた試薬注入および制御組立体の水平面に沿った断面図。
【図５】図４のＶ−Ｖ線に沿った断面図。
【図６】各々の化学調合セルが個々の支持部材上に取り付けられている本発明の第２実施例を示す部分断面側図。
【図７】図６の個々の支持部材の細部を示す斜視図。
【符号の説明】
１０  化学調合セル
１２  水平支持板
１４  攪拌器
１８  分配手段
２０  囲い
２０ａ  頂部フランジ
２４  カテーテル
２６  ガイドチューブ
３０  測定装置
３６  分析セル
３８  サイホン
４０  第１管
４２  第２管
４４  空気エゼクタ
４８  弁
５０  マイクロプロセッサ
５９  管
６０  管
６２  第２空気エゼクタ
７０  洗浄ダクト
７２  乾燥ダクト
８０  アーム
８２  吸引取付け具
８４  ジャグ
１２０  支持部材
１２２  つば
１２８  水平板
【図１】
0003765844.tif 000002
【図２】
0003765844.tif 000003
【図３】
0003765844.tif 000004
【図４】
0003765844.tif 000005
【図５】
0003765844.tif 000006
【図６】
0003765844.tif 000007
【図７】
0003765844.tif 000008